(57)【要約】【課題】本発明の目的は、被検体の表面で気泡が発生することが防がれる超音波探傷装置及び超音波探傷方法を提供することである。【解決手段】超音波探傷装置は、超音波媒質５０を貯える水槽１と、水槽１に設けられる超音波探触子２と、超音波媒質５０の第１温度を計測する超音波媒質温度センサ６と、被検体６０の第２温度を計測する被検体温度センサ５と、温度制御装置４とを具備する。温度制御装置４は、第１温度が第２温度以上になるように、超音波媒質５０を加熱し、又は、被検体６０を冷却する。【選択図】図１
2010025678.tif 000002
【特許請求の範囲】
【請求項１】
超音波媒質を貯える水槽と、
前記水槽に設けられる超音波探触子と、
前記超音波媒質の第１温度を計測する超音波媒質温度センサと、
被検体の第２温度を計測する被検体温度センサと、
温度制御装置と
を具備し、
前記温度制御装置は、前記第１温度が前記第２温度以上になるように、前記超音波媒質を加熱し、又は、前記被検体を冷却する
超音波探傷装置。
【請求項２】
前記温度制御装置は、前記被検体から熱を奪う伝熱媒体を冷却する冷凍機を備える
請求項１の超音波探傷装置。
【請求項３】
前記被検体は前記水槽が配置された検査室に前室から搬入され、
前記伝熱媒体は前記前室の空気である
請求項２の超音波探傷装置。
【請求項４】
前記温度制御装置は、前記伝熱媒体としての冷却水を貯える冷却用水槽を備える
請求項２の超音波探傷装置。
【請求項５】
前記温度制御装置は、前記伝熱媒体としての冷却水を前記被検体にかけるシャワーを備える
請求項２の超音波探傷装置。
【請求項６】
前記温度制御装置は、前記超音波媒質を加熱する電気ヒータ又はヒートポンプを備える
請求項１乃至５のいずれかに記載の超音波探傷装置。
【請求項７】
前記温度制御装置は、前記超音波媒質を加熱する太陽熱温水器を備える
請求項１乃至５のいずれかに記載の超音波探傷装置。
【請求項８】
前記温度制御装置は、化学反応を起こす反応器を備え、
前記反応器は、前記化学反応に伴い発生する熱を前記超音波媒質に与える
請求項１乃至５のいずれかに記載の超音波探傷装置。
【請求項９】
水槽に貯えられた超音波媒質の第１温度を計測するステップと、
被検体の第２温度を計測するステップと、
前記第１温度が前記第２温度以上になるように、前記超音波媒質を加熱し、又は、前記被検体を冷却するステップと、
前記被検体を前記超音波媒質に浸漬するステップと、
前記被検体を超音波探傷するステップと
を具備する
超音波探傷方法。
【請求項１０】
前記被検体から熱を奪う伝熱媒体を冷却するステップを更に具備する
請求項９の超音波探傷方法。
【請求項１１】
前記伝熱媒体は前室の空気であり、
前記被検体を前記前室から前記水槽が配置された検査室に搬入するステップを更に具備する
請求項１０の超音波探傷方法。
【請求項１２】
前記伝熱媒体は冷却用水槽に貯えられた冷却水であり、
前記超音波媒質を加熱し、又は、前記被検体を冷却する前記ステップは、
前記被検体を前記冷却水に浸漬するステップを含む
請求項１０の超音波探傷方法。
【請求項１３】
前記伝熱媒体は冷却水であり、
前記超音波媒質を加熱し、又は、前記被検体を冷却する前記ステップは、
前記被検体に前記冷却水をかけるステップを含む
請求項１０の超音波探傷方法。
【請求項１４】
前記超音波媒質を加熱し、又は、前記被検体を冷却する前記ステップは、
前記超音波媒質を加熱するステップを含む
請求項９乃至１３のいずれかに記載の超音波探傷方法。
【請求項１５】
前記超音波媒質を加熱するステップにおいて、太陽熱を用いて前記超音波媒質を加熱する
請求項１４の超音波探傷方法。
【請求項１６】
前記超音波媒質を加熱するステップにおいて、化学反応により発生した熱を前記超音波媒質に与える
請求項１４の超音波探傷方法。
【発明の詳細な説明】
【技術分野】
【０００１】
本発明は、超音波探傷装置及び超音波探傷方法に関し、特に、水浸式超音波探傷装置及び水浸式超音波探傷方法に関する。
【背景技術】
【０００２】
水浸式超音波探傷装置の探触子の表面や被検査物の表面に気泡が付着すると、探傷に支障をきたすという問題がある。
【０００３】
この問題に対し、特許文献１は、超音波探傷器と気泡除去装置とを具備する水浸式超音波探傷装置を開示している。超音波探傷器は、箱型のジャケットと、ジャケットに取り付けられた探触子とを備える。ジャケットは、開口を有し、給水口及び排水口が設けられている。ジャケットは、開口の縁で被検査物に水密的に取り付けられる。気泡除去装置は、脱気槽と、断気冷却装置とを備える。脱気槽は、水中に溶存する空気を大気中に放出するために水を加熱するヒータを備える。断気冷却装置は、溶存空気が減少した水を脱気槽から取り込み、断気冷却してから、給水口からジャケット内に供給する。この水浸式超音波探傷装置によれば、探触子と被検査物との間を満たす水の溶存空気量が低く抑えられる。そのため、探触子の表面や被検査物の表面に気泡が発生することが防がれる。
【０００４】
上述した気泡の問題とは別に、特許文献２は、水浸超音波寸法測定装置を開示している。熱処理された被測定材は、十分冷却される前に水浸超音波寸法測定装置に導入され、外形寸法が測定される。水浸超音波寸法測定装置の導入側に、被測定材の表面温度を測定する測温プローブが設けられる。超音波伝達媒体としての水を貯える貯水槽に、水温計、加熱装置、及び冷却装置が設けられる。加熱装置又は冷却装置は、貯水槽内の水温が被測定材の表面温度と同等となるように制御される。この水浸超音波寸法測定装置によれば、被測定材と測定プローブとの間の水温分布が均一になる。したがって、高精度で被測定材の外形寸法を測定することが可能である。
【０００５】
【特許文献１】特開平１１−２１１７０２号公報
【特許文献２】特開平６−６６５４５号公報
【発明の開示】
【発明が解決しようとする課題】
【０００６】
本発明の目的は、被検体の表面で気泡が発生することが防がれる超音波探傷装置及び超音波探傷方法を提供することである。
【課題を解決するための手段】
【０００７】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００８】
本発明による超音波探傷装置は、超音波媒質（５０）を貯える水槽（１）と、前記水槽に設けられる超音波探触子（２）と、前記超音波媒質の第１温度を計測する超音波媒質温度センサ（６）と、被検体（６０）の第２温度を計測する被検体温度センサ（５）と、温度制御装置（４）とを具備する。前記温度制御装置は、前記第１温度が前記第２温度以上になるように、前記超音波媒質を加熱し、又は、前記被検体を冷却する。
【０００９】
前記温度制御装置は、前記被検体から熱を奪う伝熱媒体を冷却する冷凍機（２２Ａ〜２２Ｃ）を備えることが好ましい。
【００１０】
前記被検体は前記水槽が配置された検査室（３１）に前室（３２）から搬入されることが好ましい。この場合、前記伝熱媒体は前記前室の空気である。
【００１１】
前記温度制御装置は、前記伝熱媒体としての冷却水（７０）を貯える冷却用水槽（２１）を備えることが好ましい。
【００１２】
前記温度制御装置は、前記伝熱媒体としての冷却水（７０）を前記被検体にかけるシャワー（２３）を備えることが好ましい。
【００１３】
前記温度制御装置は、前記超音波媒質を加熱する電気ヒータ又はヒートポンプ（８）を備えることが好ましい。
【００１４】
前記温度制御装置は、前記超音波媒質を加熱する太陽熱温水器（８）を備えることが好ましい。
【００１５】
前記温度制御装置は、化学反応を起こす反応器（８）を備えることが好ましい。前記反応器は、前記化学反応に伴い発生する熱を前記超音波媒質に与える。
【００１６】
本発明による超音波探傷方法は、水槽（１）に貯えられた超音波媒質（５０）の第１温度を計測するステップと、被検体（６０）の第２温度を計測するステップと、前記第１温度が前記第２温度以上になるように、前記超音波媒質を加熱し、又は、前記被検体を冷却するステップと、前記被検体を前記超音波媒質に浸漬するステップと、前記被検体を超音波探傷するステップとを具備する。
【００１７】
上記超音波探傷方法は、前記被検体から熱を奪う伝熱媒体を冷却するステップを更に具備することが好ましい。
【００１８】
前記伝熱媒体は前室（３２）の空気であることが好ましい。上記超音波探傷方法は、前記被検体を前記前室から前記水槽が配置された検査室（３１）に搬入するステップを更に具備することが好ましい。
【００１９】
前記伝熱媒体は冷却用水槽（２１）に貯えられた冷却水（７０）であることが好ましい。前記超音波媒質を加熱し、又は、前記被検体を冷却する前記ステップは、前記被検体を前記冷却水に浸漬するステップを含むことが好ましい。
【００２０】
前記伝熱媒体は冷却水（７０）であることが好ましい。前記超音波媒質を加熱し、又は、前記被検体を冷却する前記ステップは、前記被検体に前記冷却水をかけるステップを含むことが好ましい。
【００２１】
前記超音波媒質を加熱し、又は、前記被検体を冷却する前記ステップは、前記超音波媒質を加熱するステップを含むことが好ましい。
【００２２】
前記超音波媒質を加熱するステップにおいて、太陽熱を用いて前記超音波媒質を加熱することが好ましい。
【００２３】
前記超音波媒質を加熱するステップにおいて、化学反応により発生した熱を前記超音波媒質に与えることが好ましい。
【発明の効果】
【００２４】
本発明によれば、被検体の表面で気泡が発生することが防がれる超音波探傷装置及び超音波探傷方法が提供される。
【発明を実施するための最良の形態】
【００２５】
添付図面を参照して、本発明による超音波探傷装置及び超音波探傷方法を実施するための最良の形態を以下に説明する。
【００２６】
（第１の実施形態）
図１は、本発明の第１の実施形態に係る超音波探傷装置を示す。本実施形態に係る超音波探傷装置は、液体の超音波媒質５０を貯える超音波探傷用水槽１と、超音波探傷用水槽１に設けられた超音波探触子２と、情報処理装置３と、温度制御装置４と、被検体温度センサ５と、超音波探傷用水槽１内に設けられた超音波媒質温度センサ６を備える。超音波媒質５０は、例えば水である。被検体温度センサ５及び超音波媒質温度センサ６の各々は、接触式温度センサとしての熱伝対である。温度制御装置４は、温度比較装置７と、超音波探傷用水槽１に設けられた加熱装置８と、制御装置９を備える。加熱装置８は、電力を用いて超音波媒質５０を加熱する電気ヒータ又はヒートポンプである。
【００２７】
本実施形態に係る超音波探傷方法を以下に説明する。
【００２８】
被検体６０を超音波媒質５０に浸漬する前、被検体温度センサ５は被検体６０の表面温度としての被検体温度を計測し、超音波媒質温度センサ６は超音波媒質５０の温度としての媒質温度を計測する。温度比較装置７は、被検体温度センサ５及び超音波媒質温度センサ６による起電力の方向に基づいて、被検体温度と媒質温度の上下関係を検出する。制御装置９は、被検体温度と媒質温度の上下関係に基づいて、媒質温度が被検体温度以上となるように、加熱装置８を制御する。加熱装置８は、媒質温度が被検体温度以上となるように、超音波媒質５０を加熱する。
【００２９】
媒質温度が被検体温度以上となった後、被検体６０を超音波媒質５０に浸漬する。
【００３０】
被検体６０が超音波媒質５０に浸漬された状態で、本実施形態に係る超音波探傷装置は、被検体６０を超音波探傷する。より詳細には、超音波探触子２は、被検体６０に向かって超音波を出力し、被検体６０からの超音波を電気信号に変換する。情報処理装置３は、電気信号に基づいて超音波探傷結果を出力する。
【００３１】
本実施形態においては、被検体６０が超音波媒質５０に浸漬されたとき、超音波媒質５０の温度は被検体６０の表面温度以上である。したがって、被検体６０近傍の超音波媒質５０は、被検体６０によって冷やされて温度が低下し、溶存ガスの飽和濃度が上昇する。その結果、被検体６０の表面に気泡が発生することが防がれる。被検体６０の表面に気泡が発生することが防がれる効果は、超音波探傷中維持される。
【００３２】
本実施形態においては、超音波探傷用水槽１に断熱材１０Ａを設けることが好ましい。断熱材１０Ａにより、超音波媒質５０を加熱するためのエネルギーが削減される。
【００３３】
また、浮材１１Ａを超音波媒質５０に浮かべることが好ましい。浮材１１Ａにより、超音波媒質５０の液面における蒸発が抑制される。気化熱による超音波媒質５０からの放熱が抑制されるため、超音波媒質５０を加熱するためのエネルギーが削減される。浮材１１Ａとしては、発泡スチロールを用いることが好ましい。発泡スチロールは、断熱性を有し、被検体６０を傷つけない。
【００３４】
（第２の実施形態）
図２は、本発明の第２の実施形態に係る超音波探傷装置を示す。本実施形態に係る超音波探傷装置は、液体の超音波媒質５０を貯える超音波探傷用水槽１と、超音波探傷用水槽１に設けられた超音波探触子２と、情報処理装置３と、温度制御装置４と、被検体温度センサ５と、超音波探傷用水槽１内に設けられた超音波媒質温度センサ６を備える。温度制御装置４は、温度比較装置７と、加熱装置８と、制御装置９を備える。本実施形態において、加熱装置８は、超音波探傷用水槽１の外に設けられた太陽熱温水器である。超音波媒質５０は、超音波探傷用水槽１と加熱装置８の間を循環する。或いは、超音波媒質５０は加熱装置８を通過してから超音波探傷用水槽１に流入し、超音波探傷用水槽１から流出した超音波媒質５０は加熱装置８に戻らない。加熱装置８は、太陽熱を用いて超音波媒質５０を加熱する。太陽熱を用いることにより、二酸化炭素排出量が削減される。
【００３５】
本実施形態に係る超音波探傷装置及び超音波探傷方法は、上述した部分を除いて、第１の実施形態に係る超音波探傷装置及び超音波探傷方法と同じである。
【００３６】
本実施形態においては、被検体温度センサ５及び超音波媒質温度センサ６の各々は、接触式温度センサとしての水銀温度計、アルコール温度計、又はサーミスタであってもよい。この場合温度比較装置７は、被検体温度及び媒質温度を比較可能なように表示する。オペレータは、被検体温度と媒質温度との上下関係に基づいて制御装置９を手動で操作して、媒質温度が被検体温度以上となるように加熱装置８に超音波媒質５０を加熱させる。
【００３７】
（第３の実施形態）
図３は、本発明の第３の実施形態に係る超音波探傷装置を示す。本実施形態に係る超音波探傷装置は、液体の超音波媒質５０を貯える超音波探傷用水槽１と、超音波探傷用水槽１に設けられた超音波探触子２と、情報処理装置３と、温度制御装置４と、被検体温度センサ５と、超音波媒質温度センサ６を備える。温度制御装置４は、温度比較装置７と、加熱装置８と、制御装置９を備える。本実施形態において、加熱装置８は、超音波探傷用水槽１の外に設けられた反応器である。超音波媒質５０は、超音波探傷用水槽１と加熱装置８の間を循環する。或いは、超音波媒質５０は加熱装置８を通過してから超音波探傷用水槽１に流入し、超音波探傷用水槽１から流出した超音波媒質５０は加熱装置８に戻らない。加熱装置８は、化学反応を起こし、化学反応に伴い発生する熱を与えることで超音波媒質５０を加熱する。化学反応としては、気体燃料又は液体燃料の燃焼反応や、石灰水又は生石灰に加水したときの反応が挙げられる。また、被検体温度センサ５及び超音波媒質温度センサ６の各々は、非接触式温度センサとしての輻射温度センサ又はサーモグラフィである。被検体温度センサ５は被検体６０の表面温度としての被検体温度を計測する。超音波媒質温度センサ６は、超音波探傷用水槽１に貯えられた超音波媒質５０の表面温度としての媒質温度を計測する。
【００３８】
本実施形態に係る超音波探傷装置及び超音波探傷方法は、上述した部分を除いて、第１の実施形態に係る超音波探傷装置及び超音波探傷方法と同じである。
【００３９】
（第４の実施形態）
図４は、本発明の第４の実施形態に係る超音波探傷装置を示す。本実施形態に係る超音波探傷装置は、液体の超音波媒質５０を貯える超音波探傷用水槽１と、超音波探傷用水槽１に設けられた超音波探触子２と、情報処理装置３と、温度制御装置４と、被検体温度センサ５と、超音波探傷用水槽１内に設けられた超音波媒質温度センサ６を備える。超音波媒質５０は、例えば水である。被検体温度センサ５及び超音波媒質温度センサ６の各々は、接触式温度センサとしての熱伝対である。温度制御装置４は、温度比較装置７と、超音波探傷用水槽１に設けられた加熱装置８と、制御装置９と、冷却装置２０を備える。加熱装置８は、電力を用いて超音波媒質５０を加熱する電気ヒータ又はヒートポンプである。
【００４０】
図５は、超音波探傷用水槽１及び冷却装置２０の配置を示す平面図である。超音波探傷用水槽１は、検査室３１に配置される。冷却装置２０は、冷凍機２２Ａを備え、冷房装置として機能する。検査室３１と前室３２の間の壁３３には、搬入口３４が形成されている。搬入口３４には、図示省略された扉が設けられる。
【００４１】
本実施形態に係る超音波探傷方法を以下に説明する。
【００４２】
被検体６０を前室３２に搬入する。被検体温度センサ５は被検体６０の表面温度としての被検体温度を計測し、超音波媒質温度センサ６は超音波媒質５０の温度としての媒質温度を計測する。温度比較装置７は、被検体温度センサ５及び超音波媒質温度センサ６による起電力の方向に基づいて、被検体温度と媒質温度の上下関係を検出する。制御装置９は、被検体温度と媒質温度の上下関係に基づいて、媒質温度が被検体温度以上となるように、加熱装置８、冷却装置２０、又は、加熱装置８及び冷却装置２０の両方を制御する。加熱装置８は、制御装置９による制御に基づいて、媒質温度が被検体温度以上となるように、超音波媒質５０を加熱する。冷凍機２２Ａは、制御装置９による制御に基づいて、媒質温度が被検体温度以上となるように、前室３２の空気を冷却する。前室３２の空気は、被検体６０から熱を奪う伝熱媒体として機能する。
【００４３】
媒質温度が被検体温度以上となった後、被検体６０を前室３２から検査室３１に搬入口３４を通って搬入し、被検体６０を超音波媒質５０に浸漬する。
【００４４】
被検体６０が超音波媒質５０に浸漬された状態で、本実施形態に係る超音波探傷装置は、第１の実施形態のように被検体６０を超音波探傷する。
【００４５】
本実施形態においては、被検体６０が超音波媒質５０に浸漬されたとき、超音波媒質５０の温度は被検体６０の表面温度以上である。したがって、被検体６０近傍の超音波媒質５０は、被検体６０によって冷やされて温度が低下し、溶存ガスの飽和濃度が上昇する。その結果、被検体６０の表面に気泡が発生することが防がれる。被検体６０の表面に気泡が発生することが防がれる効果は、超音波探傷中維持される。
【００４６】
なお、前室３２内の被検体６０が前室３２の空気と温度平衡である場合、前室３２に設けられた気温センサを被検体温度センサ５として使用可能である。この場合、公差や器差の影響を避けるために、媒質温度と被検体温度との間に有限の温度差（例示：２℃）が生じるように、媒質温度、被検体温度、又は両方を制御することが好ましい。
【００４７】
本実施形態においては、被検体温度センサ５及び超音波媒質温度センサ６の各々は、接触式温度センサとしての水銀温度計、アルコール温度計、又はサーミスタであってもよい。この場合の超音波探傷方法は、第２の実施形態に例示されたとおりである。
【００４８】
本実施形態においては、前室３２の室温は検査室３１の室温よりも低く保たれることが好ましい。
【００４９】
本実施形態においては、壁３３に断熱材１０Ｂを設けることが好ましい。断熱材１０Ｂにより検査室３１から前室３２に熱が侵入することが防がれ、前室３２の空気を冷却するためのエネルギーが削減される。
【００５０】
（第５の実施形態）
図６は、本発明の第５の実施形態に係る超音波探傷装置が備える冷却装置２０を示す。冷却装置２０は、被検体６０から熱を奪う伝熱媒体としての冷却水７０を貯える冷却用水槽２１と、冷却水７０を冷却する冷凍機２２Ｂを備える。
【００５１】
本実施形態に係る超音波探傷装置は、上述した部分を除いて、第４の実施形態に係る超音波探傷装置と同様である。
【００５２】
本実施形態に係る超音波探傷方法を以下に説明する。
【００５３】
被検体６０を冷却水７０に浸漬する。被検体温度センサ５は被検体６０の表面温度としての被検体温度を計測し、超音波媒質温度センサ６は超音波媒質５０の温度としての媒質温度を計測する。温度比較装置７は、被検体温度センサ５及び超音波媒質温度センサ６による起電力の方向に基づいて、被検体温度と媒質温度の上下関係を検出する。制御装置９は、被検体温度と媒質温度の上下関係に基づいて、媒質温度が被検体温度以上となるように、加熱装置８、冷却装置２０、又は、加熱装置８及び冷却装置２０の両方を制御する。加熱装置８は、制御装置９による制御に基づいて、媒質温度が被検体温度以上となるように、超音波媒質５０を加熱する。冷凍機２２Ｂは、制御装置９による制御に基づいて、媒質温度が被検体温度以上となるように、冷却水７０を冷却する。
【００５４】
媒質温度が被検体温度以上となった後、被検体６０を冷却水７０から取り出し、被検体６０を超音波媒質５０に浸漬する。
【００５５】
被検体６０が超音波媒質５０に浸漬された状態で、本実施形態に係る超音波探傷装置は、第１の実施形態のように被検体６０を超音波探傷する。
【００５６】
本実施形態においても、第４の実施形態と同様に、被検体６０の表面に気泡が発生することが防がれる。
【００５７】
本実施形態においては、冷却用水槽２１に断熱材１０Ｃを設けることが好ましい。断熱材１０Ｃにより、冷却水７０を冷却するためのエネルギーが削減される。
【００５８】
また、浮材１１Ｂを冷却水７０に浮かべることが好ましい。浮材１１Ｂにより、冷却水７０の液面における伝熱が抑制される。そのため、冷却水７０を冷却するためのエネルギーが削減される。浮材１１Ｂとしては、発泡スチロールを用いることが好ましい。
【００５９】
（第６の実施形態）
図７は、本発明の第６の実施形態に係る超音波探傷装置が備える冷却装置２０を示す。冷却装置２０は、被検体６０から熱を奪う伝熱媒体としての冷却水７０を冷却する冷凍機２２Ｃと、冷却水７０を被検体６０にかけるシャワー２３を備える。
【００６０】
本実施形態に係る超音波探傷装置は、上述した部分を除いて、第４の実施形態に係る超音波探傷装置と同様である。
【００６１】
本実施形態に係る超音波探傷方法を以下に説明する。
【００６２】
シャワー２３は冷却水７０を被検体６０にかける。被検体温度センサ５は被検体６０の表面温度としての被検体温度を計測し、超音波媒質温度センサ６は超音波媒質５０の温度としての媒質温度を計測する。温度比較装置７は、被検体温度センサ５及び超音波媒質温度センサ６による起電力の方向に基づいて、被検体温度と媒質温度の上下関係を検出する。制御装置９は、被検体温度と媒質温度の上下関係に基づいて、媒質温度が被検体温度以上となるように、加熱装置８、冷却装置２０、又は、加熱装置８及び冷却装置２０の両方を制御する。加熱装置８は、制御装置９による制御に基づいて、媒質温度が被検体温度以上となるように、超音波媒質５０を加熱する。冷凍機２２Ｂは、制御装置９による制御に基づいて、媒質温度が被検体温度以上となるように、冷却水７０を冷却する。
【００６３】
媒質温度が被検体温度以上となった後、被検体６０を超音波媒質５０に浸漬する。
【００６４】
被検体６０が超音波媒質５０に浸漬された状態で、本実施形態に係る超音波探傷装置は、第１の実施形態のように被検体６０を超音波探傷する。
【００６５】
本実施形態においても、第４の実施形態と同様に、被検体６０の表面に気泡が発生することが防がれる。
【００６６】
第４乃至第６の実施形態において、加熱装置８は設けられなくてもよい。
【００６７】
第２乃至第６の実施形態においても、超音波探傷用水槽１に断熱材１０Ａを設けることが好ましく、浮材１１Ａを超音波媒質５０に浮かべることが好ましい。
【００６８】
なお、上記各実施形態は、組み合わせることが可能である。
【図面の簡単な説明】
【００６９】
【図１】図１は、本発明の第１の実施形態に係る超音波探傷装置の概略図である。
【図２】図２は、本発明の第２の実施形態に係る超音波探傷装置の概略図である。
【図３】図３は、本発明の第３の実施形態に係る超音波探傷装置の概略図である。
【図４】図４は、本発明の第４の実施形態に係る超音波探傷装置の概略図である。
【図５】図５は、第４の実施形態に係る超音波探傷装置が備える超音波探傷用水槽及び冷却装置の配置を示す平面図である。
【図６】図６は、本発明の第５の実施形態に係る超音波探傷装置が備える冷却装置の概略図である。
【図７】図７は、本発明の第６の実施形態に係る超音波探傷装置が備える冷却装置の概略図である。
【符号の説明】
【００７０】
１…超音波探傷用水槽
２…超音波探触子
３…情報処理装置
４…温度制御装置
５…被検体温度センサ
６…超音波媒質温度センサ
７…温度比較装置
８…加熱装置
９…制御装置
１０Ａ〜１０Ｃ…断熱材
１１Ａ、１１Ｂ…浮材
２０…冷却装置
２１…冷却用水槽
２２Ａ〜２２Ｃ…冷凍機
２３…シャワー
３１…検査室
３２…前室
３３…壁
３４…搬入口
５０…超音波媒質
６０…被検体
７０…冷却水
【図１】
2010025678.tif 000003
【図２】
2010025678.tif 000004
【図３】
2010025678.tif 000005
【図４】
2010025678.tif 000006
【図５】
2010025678.tif 000007
【図６】
2010025678.tif 000008
【図７】
2010025678.tif 000009